(57)【要約】【課題】蒸気発生機能付き高周波調理器において、蒸発皿から水が溢れた場合でも、溢れた水を原因とする攪拌翼（アンテナ）やモータ等部品の故障発生を簡単な構成で防ぐ。【解決手段】加熱室２３の左右側壁２９及び蒸発皿２７と給電室２５との接合部をなくし、給電室２５内への水分や油の浸入を防止するため、蒸発皿２７の周縁と給電室２５の開口周縁とを継ぎ目なく一体に構成する。【選択図】図１
2010117108.tif 000002
【特許請求の範囲】
【請求項１】
前面開口部に開閉可能に設けられた扉を有し被加熱物を収容する金属製の加熱室と、
前記加熱室下方に隣接して設けられ上方に開口を有する給電室と、
前記給電室の開口を塞ぎ前記加熱室と前記給電室とを仕切り前記被加熱物を載置する高周波電波透過性仕切板と、
前記加熱室内の奥側底面に凹状に形成された蒸発皿と、
高周波電波を発生する高周波発生装置と、
前記給電室内に設けられ前記高周波発生装置からの前記高周波電波を攪拌しながら出力する攪拌翼とを備えた高周波加熱装置であって、
前記蒸発皿の周縁と前記給電室の開口周縁とを継ぎ目なく一体に構成したことを特徴とする高周波加熱装置。
【請求項２】
加熱室の左右側壁と前記加熱室の底面壁との接合部を蒸発皿よりも高い位置に設けたことを特徴とする請求項１に記載の高周波加熱装置。
【請求項３】
加熱室の左右側壁と前記加熱室の底面壁との接合部コーナーにアールを設けたことを特徴とする請求項１または２に記載の高周波加熱装置。
【発明の詳細な説明】
【技術分野】
【０００１】
本発明は、高周波と蒸気の少なくともいずれかを使用して被加熱物を加熱調理する蒸気発生機能付き高周波加熱装置に関するものである。
【背景技術】
【０００２】
この種の蒸気発生機能付き高周波加熱装置の一例として、従来の電子レンジの構成を図４と図５に示す。
【０００３】
この電子レンジ１は、略直方体の金属板製シャーシ２には前面に開口部を有する加熱室３と、この開口部を開閉する扉４が設けられている。
【０００４】
この加熱室３の底壁面には凹部が形成され、この凹部内の空間を給電室５としている。この給電室５の開口、すなわち加熱室３の底壁面に形成された凹部の開口には、仕切板６が取り付けられ、この加熱室３の下方に隣接して設けられた給電室５と加熱室３とを仕切っている。この仕切板６は、ガラスやセラミック等の高周波エネルギー透過性材料で形成されている。
【０００５】
給電室５内には、アンテナとして機能し、かつ高周波エネルギーを均一に分布させる目的の金属製の攪拌翼（図示せず）が、モータ（図示せず）により回転自在に軸支されている。そして加熱室３の側壁面外側には、高周波発生手段を構成するマグネトロン（図示せず）が取り付けられている。冷却ファン（図示せず）は、マグネトロンやこれに電力を供給する電源回路部品が動作時に発生する熱を冷却する。
【０００６】
電子レンジ１の使用者が、被加熱物を加熱室３内の仕切板６上に載置して、扉４の下部に設けた操作パネル（図示せず）を操作すると、マグネトロンで発生した高周波電波は、導波管（図示せず）を伝播して給電室５に導入され、攪拌翼（アンテナ）によって分散されながら、仕切板６を透過して被加熱物に吸収され、熱に転換される。
【０００７】
加熱室３の底面は、開口部側に仕切板６と、奥側に蒸気発生部１１とが、相互に接して設けられている。そして、この蒸気発生部１１には、加熱室３外から供給される水を加熱し蒸発させる蒸発皿８が設けられている。
【０００８】
加熱室３の左右側壁７及び蒸発皿８と給電室５との接合部９が、仕切板６の取り付け高さと比較して、同一高さまたは仕切板６より低い位置にあるため、電子レンジ１の使用者が、被加熱物を加熱室３内から出し入れする際や加熱中に、こぼれたり飛散したりする水分や油が、仕切板６と加熱室３の壁面との隙間から下方に位置する給電室５内に流れ込むと、攪拌翼（アンテナ）やモータ等の部品の故障原因になる可能性がある。このような不都合を防止するために、仕切板６と加熱室３壁面との隙間は何らかの手段により水密にシールされる必要があった（例えば、特許文献１参照）。
【０００９】
このシールは、加熱室３に仕切板６を載置した後に、仕切板６の全周にわたって接合部９の隙間にシリコンゴム等の接着性を持つシール材１０を充填して、固定するのが一般的である。仕切板６と加熱室３壁面との隙間にシール材１０を充填して仕切板６を固定すると、仕切板６を取り外すことができないため、故障を修理する際に仕切板６を壊したりシール材１０を切り取ったりする必要があり、修理のために交換部品が必ず必要であったり、作業に長時間を要したりしていた。
【００１０】
このため、仕切板６と加熱室３壁面との隙間をシールする別な方法として、仕切板６の全周をマイカ等で作成した支持体にシール材１０を充填、固定して、この支持体を加熱室３に設けられた取付部材にねじによって着脱可能に固定する方法が開示されている（例えば、特許文献２参照）。
【特許文献１】特開２００８−２２４０７８号公報
【特許文献２】特開平７−１４５９４４号公報
【発明の開示】
【発明が解決しようとする課題】
【００１１】
しかしながら、従来、給電室５と蒸発皿８とを別々の部品で構成しているため、どうしても給電室５を構成する部品と蒸発皿８を構成する部品との接合部９に、隙間ができ易かった。そのため、調理終了時まで給水したり、蒸気を使用する調理を開始しすぐに調理取消操作をした後、また蒸気を使用する調理を開始したりすると、蒸発皿８への水の供給過多による蒸気発生部１１の蒸発皿８からの水の溢れを起こす恐れがあった。そして、蒸発皿８から水が溢れ、蒸発皿８と仕切板６との接合部９を通って給電室５内に溢れた水が浸入すると、攪拌翼（アンテナ）やモータ等部品のスパーク発生、焼損の原因となり故障する可能性があった。
【００１２】
これを防ぐためには、どうしても接合部９にシール手段が必要であり、構成が複雑になり組立作業性が低下したり、部品点数増加により組立作業の工数や部品コストが増加したりしていた。
【００１３】
また、加熱室３の左右側壁７と給電室５との接合部９のコーナーに、滑らかな曲面を形成できないため、ゴミが溜まった場合除去しにくいといった課題があった。
【００１４】
本発明は、前記従来の課題を解決するもので、蒸発皿から水が溢れた場合でも、溢れた水を原因とする攪拌翼（アンテナ）やモータ等部品の故障発生を簡単な構成で防ぐことができる蒸気発生機能付き高周波加熱装置を提供することを目的とする。
【課題を解決するための手段】
【００１５】
前記従来の課題を解決するために、本発明の蒸気発生機能付き高周波加熱装置は、加熱室の左右側壁及び蒸発皿と給電室との接合部をなくし、給電室内への水分や油の浸入を防止するため、蒸発皿と給電室の底面壁及び側面壁とを継ぎ目なく一体に構成したものである。
【００１６】
これによって、接合部がなくなり余分なシールを不要にして、被加熱物を加熱室内から出し入れする際や加熱中に、こぼれたり飛散したりする水分や油が給電室内に侵入し、攪拌翼（アンテナ）やモータ等部品の故障の原因になることを防止できる。
【発明の効果】
【００１７】
本発明の蒸気発生機能付き高周波加熱装置は、被加熱物を加熱室内から出し入れする際や加熱中に、こぼれたり飛散したりする水分や油が給電室内に侵入し、攪拌翼（アンテナ）やモータ等部品との故障の原因になることを防止できる。
【発明を実施するための最良の形態】
【００１８】
第１の発明は、加熱室の左右側壁及び蒸発皿と給電室との接合部をなくし、蒸発皿の周縁と給電室の周縁とを継ぎ目なく一体に構成することにより、こぼれたり飛散したりした水分や油が給電室内に侵入し、攪拌翼（アンテナ）やモータ等部品の故障の原因になることを防止することができる。
【００１９】
第２の発明は、特に、第１の発明において、加熱室の左右側壁と給電室との接合部を蒸発皿より高い位置に設けることにより、蒸発皿に溜まった水が接合部から漏れる課題を解消することができる。
【００２０】
第３の発明は、特に、第１または第２の発明に、加熱室の左右側壁と給電室との接合部コーナーに曲面を設けることにより、清掃性を向上することができる。
【００２１】
以下、本発明の実施の形態について、図面を参照しながら説明する。なお、本実施の形態によって本発明が限定されるものではない。
【００２２】
（実施の形態１）
図１は、本発明の第１の実施の形態における蒸気発生機能付き高周波加熱装置の扉を開放し仕切板及び攪拌翼を取り外した状態を示す正面斜視図、図２は、図１の同装置の扉を開放した状態を示す正面斜視図、図３は、同装置の加熱室底壁の斜視図を示すものである。
【００２３】
同図において、２１は高周波加熱装置としての電子レンジであり、２２は電子レンジ２１の本体を構成するシャーシである。このシャーシ２２内には金属製の加熱室２３が形成され、そしてこの加熱室２３の前面開口部には、扉２４が開閉可能に取り付けられている。加熱室２３内の底面に、加熱室２２の底壁の前面開口部側に凹部を形成して給電室２５とし、すなわち給電室２５を加熱室２３に隣接して設けている。
【００２４】
給電室２５は、底面壁と側面壁とを有し、この給電室２５の天面には開口が形成され、給電室２５のこの開口を塞ぐように、仕切板２６が着脱可能に取り付けられている。換言すれば、仕切板２６は、隣接して設けられた給電室２５と加熱室２３とを仕切っている。この仕切板２６は、ガラスやセラミック等の高周波エネルギー透過性材料で形成されている。
【００２５】
給電室２５の底面は、平面視略Ｈ字状に凹部が形成され、左右対称になっている。逆に言えば、底面の左右両辺から底面の中央に向けて、対称的に凸部（上方への膨らみ）が形成されている。この対照的な凸部のうち、一方の凸部の下方に、高周波発生手段を構成するマグネトロン（図示せず）が取り付けられている。これにより、給電室２５の底面を平らにすることにより、電子レンジ２１の全体高さ、及び加熱室２３の底面高さを低く抑えることができる。さらに、給電室２５内において、対称的に凸部（上方への膨らみ）を形成し、給電室２５内を左右対称に構成することにより、給電室２５内、及び加熱室２３内の高周波電波の分布を良好にすることができる。
【００２６】
そして、給電室２５内には、アンテナとして機能し、かつ高周波エネルギーを均一に分布させる目的の金属製の攪拌翼（図示せず）が、モータ（図示せず）により回転自在に軸支されている。また、マグネトロン（図示せず）で発生し導波管（図示せず）を伝播してきた高周波電波が、給電室２５に導かれ、攪拌翼（図示せず）によって分散されながら、仕切板２６を透過して被加熱物に放射され、被加熱物を加熱することになる。
【００２７】
加熱室２３の底面で、かつ給電室２５の奥側には、加熱室２３の外部から供給される水を加熱し蒸発させる蒸発皿２７が、加熱室２３の底壁に水を溜めることができるよう凹状に形成されている。そして、加熱室２３の底壁は、１枚の金属板を加工して形成されており、給電室２５の開口周縁と蒸発皿２７の周縁とは、隣接して継ぎ目なく一体に設けられている。
【００２８】
加熱室２３の底壁の左右両端部は、加熱室２３の左右側壁２９付近のコーナーに形成し
たアール（曲面）部２８から上方へ折曲して延びて、加熱室２３の左右側壁２９と接している。したがって、加熱室２３の左右側壁２９と加熱室２３の底壁との左右接合部３０は、蒸発皿２７よりも高い位置に設けることとなる。
【００２９】
以上のように構成された蒸気発生機能付き高周波加熱装置について、以下その動作、作用を説明する。
【００３０】
電子レンジ２１の使用者が、被加熱物を加熱室２３内の仕切板２６上に載置して、扉２４の下部に設けた操作パネル（図示せず）を操作すると、マグネトロンで発生した高周波電波は、導波管（図示せず）を伝播して給電室２５に導入され、攪拌翼（アンテナ）によって分散されながら、仕切板２６を透過して被加熱物に吸収され加熱調理できる。
【００３１】
そして、蒸気を使用する調理を開始すると、加熱室２３の蒸発皿２７へ加熱室２３の外部から給水され、蒸発皿２７に溜められた水がヒータ（図示せず）または高周波電波で加熱されて蒸気が発生する。
【００３２】
この時、調理終了時まで給水したり、蒸気を使用する調理を開始しすぐに調理取消操作をした後、また蒸気を使用する調理を開始したりすると、蒸発皿２７への水の供給過多による蒸発皿２７からの水の溢れを起こす恐れがあるが、蒸発皿２７から水が溢れても、蒸発皿２７と仕切板２６との間には接合部３０はなく、給電室２５内に溢れた水分や飛散した油が浸入する恐れがないので、攪拌翼（アンテナ）やモータ等部品のスパーク発生、焼損の原因となったり、故障したりする可能性はない。
【００３３】
また、加熱室２３の左右側壁２９と給電室２５との接合部３０を蒸発皿２７より高い位置に設けることにより、蒸発皿２７に溜まった水が接合部３０から漏れる課題を解消することができる。
【００３４】
さらにまた、加熱室２３の左右側壁２９と給電室２５との接合部３０付近のコーナーにアール部（曲面）２８を設けることにより、ゴミが溜まりにくく、溜まった場合でもゴミを除去し易いので、清掃性を向上でき加熱室２３内を清潔に保つことができる。
【００３５】
以上のように、本実施の形態においては加熱室２３の左右側壁２９及び蒸発皿２７と給電室２５との接合部をなくして、蒸発皿２７の周縁と給電室２５の周縁とを継ぎ目なく一体に構成することにより、こぼれたり飛散したりした水分や油が給電室２５内に侵入し、攪拌翼（アンテナ）やモータ等部品の故障の原因になることを防止することができる。
【００３６】
また、加熱室２３の左右側壁２９と給電室２５との接合部３０を蒸発皿２７より高い位置に設けることにより、蒸発皿２７に溜まった水が接合部３０から漏れることを防止できる。
【００３７】
さらにまた、加熱室２３の左右側壁２９と給電室２５とのコーナーにアール（曲面）部２８を設けることにより、ゴミが溜まりにくく溜まった場合でもゴミを除去し易いので、清掃性を向上し加熱室２３内を清潔に保つことができる。
【産業上の利用可能性】
【００３８】
以上のように、本発明にかかる蒸気発生機能付き高周波加熱装置は、加熱室内でこぼれたり飛散したりした水分や油が、加熱室下方の給電室内に侵入し、攪拌翼（アンテナ）やモータ等部品の故障の原因になることを防止することが可能となるので、家庭用のみならず業務用の蒸気発生機能付き高周波加熱装置の用途にも適用できる。
【図面の簡単な説明】
【００３９】
【図１】本発明の第１の実施の形態における蒸気発生機能付き高周波加熱装置の扉を開放し仕切板及び攪拌翼を取り外した状態を示す正面斜視図
【図２】図１に示す本発明の蒸気発生機能付き高周波加熱装置の図１の同装置の扉を開放した状態を示す正面斜視図
【図３】本発明の第２の実施の形態の蒸気発生機能付き高周波加熱装置の同装置の加熱室底壁の斜視図
【図４】従来の蒸気発生機能付き高周波加熱装置の扉を開放した状態を示す正面斜視図
【図５】従来の蒸気発生機能付き高周波加熱装置の加熱室底壁の斜視図
【符号の説明】
【００４０】
２１  電子レンジ（蒸気発生機能付き高周波加熱装置）
２２  シャーシ
２３  加熱室
２４  扉
２５  給電室
２６  仕切板
２７  蒸発皿
２８  アール部
２９  側壁
３０  接合部
３１  底壁
【図１】
2010117108.tif 000003
【図２】
2010117108.tif 000004
【図３】
2010117108.tif 000005
【図４】
2010117108.tif 000006
【図５】
2010117108.tif 000007